(57)【要約】【課題】  カップ、容器等の閉塞筒状体を容易にかつ手早く構成することができる閉塞筒状体とその製造方法を提供する。【解決手段】  筒胴部構成シート部３が筒状に曲げられてその両側部が貼付代１２において貼り付けられることで筒胴部１１が形成され、筒胴部１１の一端開口部の外接円の半径寸法に対応する寸法をもって筒胴部構成シート部３の一端から延長され閉塞部構成シート部４において、筒胴部１１の一端開口縁を折返し部として中心に向けて折り返されながら、複数の襞状折り重ね部２４が周方向に形成され、かつこれら複数の襞状折り重ね部２４が周方向に順次折り重ねられて凸状閉塞部２５が形成される。凸状閉塞部２５が筒胴部１１の内部に向けて押し込まれて凹状に座屈されることで閉塞部２０が形成される。【選択図】        図１
2006151425.tif 000002
【特許請求の範囲】
【請求項１】
筒胴部と、その筒胴部の両端開口部のうち、少なくとも一端開口部に設けられてその一端開口部を塞ぐ閉塞部と、を備えた閉塞筒状体であって、
前記筒胴部の展開形状に形成された筒胴部構成シート部が筒状に曲げられてその両側部が貼付代において貼り付けられることで筒胴部が形成され、
前記筒胴部の一端開口部の外接円の半径寸法に対応する寸法をもって前記筒胴部構成シート部の一端から延長されかつ前記閉塞部の展開形状に対応して形成された閉塞部構成シート部において、前記筒胴部の一端開口縁を折返し部として中心に向けて折り返されながら、複数の襞状折り重ね部が周方向に形成され、かつこれら複数の襞状折り重ね部が周方向に順次折り重ねられて凸状閉塞部が形成され、
前記凸状閉塞部が前記筒胴部の内部に向けて押し込まれて凹状に座屈されることで閉塞部が形成されることを特徴とする閉塞筒状体。
【請求項２】
請求項１に記載の閉塞筒状体であって、
筒胴部の一端開口部に設けられた閉塞部を底閉塞部とし、
前記筒胴部の他端開口部には、前記底閉塞部と同様の折り込み構成によって蓋閉塞部が形成されていることを特徴とする閉塞筒状体。
【請求項３】
筒胴部と、その筒胴部の両端開口部のうち、少なくとも一端開口部に設けられてその一端開口部を塞ぐ閉塞部と、を備えた閉塞筒状体を製造する方法であって、
クラフト紙、厚紙、樹脂コート加工紙、断熱性加工紙、樹脂製シート等のシート材を素材とし、前記筒胴部の展開形状に対応し、かつ一側に貼付代を有する筒胴部構成シート部と、
前記筒胴部の一端開口部の外接円の半径寸法に対応する寸法をもって前記筒胴部構成シート部の一端から延長されかつ前記閉塞部の展開形状に対応する閉塞部構成シート部と、を連続して有する折込用加工シートを準備し、
前記折込用加工シートの筒胴部構成シート部を筒状に屈曲してその両側部を前記貼付代において貼り付けて筒胴部を形成してから、
前記閉塞部構成シート部において、前記筒胴部の一端開口縁を折返し部として中心に向けて折り返しながら、複数の襞状折り重ね部を周方向に形成し、かつこれら複数の襞状折り重ね部を周方向に順次折り重ねて凸状閉塞部を形成し、
その後、前記凸状閉塞部の中心部を前記筒胴部の内部に向けて押し込んで凹状に座屈させることで閉塞部を形成することを特徴とする閉塞筒状体の製造方法。
【請求項４】
請求項３に記載の閉塞筒状体の製造方法であって、
折込用加工シートの筒胴部構成シート部と閉塞部構成シート部の境界部には、筒胴部の一端開口縁を押し返し部として中心に向けて折り返すための折返し線を設け、
前記閉塞部構成シート部には、前記筒胴部の一端開口部の周囲に沿って所定間隔を隔て、かつ前記折返し線から前記閉塞部構成シート部の先端にわたる複数の山折り線を平行状に設けるとともに、前記複数の山折り線の根元部から隣接する山折り線先端の間の略中間部に向けて谷折り線を設け、
前記閉塞部構成シート部を前記折返し線に沿って前記筒胴部の中心に向けて折り返しながら、前記閉塞部構成シート部を複数の山折り線と複数の谷折り線に沿って折り込んで略三角形状の複数の襞状折り重ね部を形成することを特徴とする閉塞筒状体の製造方法。
【発明の詳細な説明】
【技術分野】
【０００１】
この発明は、カップ、容器等の閉塞筒状体と、その製造方法に関する。
【背景技術】
【０００２】
従来、クラフト紙、厚紙、樹脂コート加工紙、断熱性加工紙等の板紙（樹脂製シートも含む）等よりなる一枚のシート素材を、カップや容器に対応する所要とする展開形状に形成して折込用加工シートを形成してから、その折込用加工シートを部分的に貼り付けたり、あるいは折り込んで、カップや容器等の閉塞筒状体を構成するものが知られている（例えば、特許文献１）。
【特許文献１】特開２００１−１８０６５４号公報
【発明の開示】
【発明が解決しようとする課題】
【０００３】
ところで、カップや容器等の閉塞筒状体に対応して所要とする展開形状に形成された折込用加工シートを、部分的に貼り付けたり、あるいは折り込んでカップや容器等の閉塞筒状体を構成するものにおいては、その閉塞筒状体の用途に応じて、保温性、水密性、剛性（強度）等をもたせる必要がある。
このため、折込用加工シートの貼付部分、あるいは折込部分の形状が複雑化し、閉塞筒状体を構成するために、多くの手間や時間が必要となる。
【０００４】
この発明の目的は、前記従来の問題点に鑑み、カップ、容器等の閉塞筒状体を容易にかつ手早く構成することができる閉塞筒状体とその製造方法を提供することである。
【課題を解決するための手段】
【０００５】
前記目的を達成するために、この発明の請求項１に係る閉塞筒状体は、筒胴部と、その筒胴部の両端開口部のうち、少なくとも一端開口部に設けられてその一端開口部を塞ぐ閉塞部と、を備えた閉塞筒状体であって、
前記筒胴部の展開形状に形成された筒胴部構成シート部が筒状に曲げられてその両側部が貼付代において貼り付けられることで筒胴部が形成され、
前記筒胴部の一端開口部の外接円の半径寸法に対応する寸法をもって前記筒胴部構成シート部の一端から延長されかつ前記閉塞部の展開形状に対応して形成された閉塞部構成シート部において、前記筒胴部の一端開口縁を折返し部として中心に向けて折り返されながら、複数の襞状折り重ね部が周方向に形成され、かつこれら複数の襞状折り重ね部が周方向に順次折り重ねられて凸状閉塞部が形成され、
前記凸状閉塞部が前記筒胴部の内部に向けて押し込まれて凹状に座屈されることで閉塞部が形成されることを特徴とする。
【０００６】
したがって、筒胴部の一端開口部の外接円の半径寸法に対応する寸法をもって筒胴部構成シート部の一端から延長された閉塞部構成シート部において、複数の襞状折り重ね部を周方向に形成しながら、順次折り重ねて凸状閉塞部を形成することができる。
その後、凸状閉塞部を筒胴部の内部に向けて押し込み凹状に座屈させることで閉塞部を容易に形成することができる。
また、閉塞部を構成する複数の襞状折り重ね部のうち、任意の襞状折り重ね部を引き出し操作することによって、容易に開放することができる。
【０００７】
請求項２に係る閉塞筒状体は、請求項１に記載の閉塞筒状体であって、
筒胴部の一端開口部に設けられた閉塞部を底閉塞部とし、
前記筒胴部の他端開口部には、前記底閉塞部と同様の折り込み構成によって蓋閉塞部が形成されていることを特徴とする。
【０００８】
前記構成において、筒胴部の一端開口部に底閉塞部が、他端開口部に蓋閉塞部が形成されることによって、例えば、蓋付きカップ（容器）を容易に構成することができる。
このようにして構成された蓋付きカップは、ポップコーン、スナック菓子類等の軽量の菓子類を収納して持ち運ぶカップとして使用することができる。
この場合、蓋閉塞部によってカップが閉塞されるため、持ち運び時において、内容物がこぼれ落ちたリ、あるいは塵などが入ることを防止することができる。
また、内容物を取り出す場合には、蓋閉塞部の複数の襞状折り重ね部のうち、任意の襞状折り重ね部を引き出し操作することによって、容易に開放することができる。
【０００９】
請求項３に係る閉塞筒状体の製造方法は、筒胴部と、その筒胴部の両端開口部のうち、少なくとも一端開口部に設けられてその一端開口部を塞ぐ閉塞部と、を備えた閉塞筒状体を製造する方法であって、
クラフト紙、厚紙、樹脂コート加工紙、断熱性加工紙、樹脂製シート等のシート材を素材とし、前記筒胴部の展開形状に対応し、かつ一側に貼付代を有する筒胴部構成シート部と、
前記筒胴部の一端開口部の外接円の半径寸法に対応する寸法をもって前記筒胴部構成シート部の一端から延長されかつ前記閉塞部の展開形状に対応する閉塞部構成シート部と、を連続して有する折込用加工シートを準備し、
前記折込用加工シートの筒胴部構成シート部を筒状に屈曲してその両側部を前記貼付代において貼り付けて筒胴部を形成してから、
前記閉塞部構成シート部において、前記筒胴部の一端開口縁を折返し部として中心に向けて折り返しながら、複数の襞状折り重ね部を周方向に形成し、かつこれら複数の襞状折り重ね部を周方向に順次折り重ねて凸状閉塞部を形成し、
その後、前記凸状閉塞部の中心部を前記筒胴部の内部に向けて押し込んで凹状に座屈させることで閉塞部を形成することを特徴とする。
【００１０】
したがって、この発明の閉塞筒状体の製造方法によると、折込用加工シートによって閉塞筒状体を容易に製造することができる。
【００１１】
請求項４に係る閉塞筒状体製造方法は、請求項３に記載の閉塞筒状体の製造方法であって、
折込用加工シートの筒胴部構成シート部と閉塞部構成シート部の境界部には、筒胴部の一端開口縁を折返し部として中心に向けて折り返すための折返し線を設け、
前記閉塞部構成シート部には、前記筒胴部の一端開口部の周囲に沿って所定間隔を隔て、かつ前記折返し線から前記閉塞部構成シート部の先端にわたる複数の山折り線を平行状に設けるとともに、前記複数の山折り線の根元部から隣接する山折り線先端の間の略中間部に向けて谷折り線を設け、
前記閉塞部構成シート部を前記折返し線に沿って前記筒胴部の中心に向けて折り返しながら、前記閉塞部構成シート部を複数の山折り線と複数の谷折り線に沿って折り込んで略三角形状の複数の襞状折り重ね部を形成することを特徴とする。
【００１２】
前記構成において、折込用加工シートの閉塞部構成シート部に対し、折返し線及び複数の襞状折り重ね部を形成するための山折り線、谷折り線を設けることで、閉塞部構成シート部を、筒胴部の一端縁を折返し部として中心に向けて折り返しながら、略三角形状の複数の襞状折り重ね部を形成しながら周方向に順次折り重ねて閉塞部を形成する作業を容易にかつ手早く正確に行うことができる。
【発明の効果】
【００１３】
この発明によれば、閉塞部構成シート部の折り込みによって形成される複数の襞状折り重ね部を周方向に順次折り重ねて凸状閉塞部を形成してから、その凸状閉塞部を座屈させることで、閉塞部を容易に形成することができ、ひいては、カップ、容器等の閉塞筒状体を容易にかつ手早く構成することができる。
【発明を実施するための最良の形態】
【００１４】
次に、この発明を実施するための最良の形態を実施例にしたがって説明する。
【実施例】
【００１５】
図１はこの発明の実施例に係る閉塞筒状体としての蓋付きカップを斜め上方から示す斜視図である。図２は蓋付きカップを斜め下方から示す斜視図である。図３は蓋付きカップの蓋閉塞部を上方に開放した状態を斜め上方から示す斜視図である。図４は蓋付きカップの展開状態をなす折込用加工シートを示す説明図である。図５は蓋付きカップの底閉塞部を下方に開放した状態を斜め下方から示す斜視図である。図６は蓋付きカップの底部に凸状底閉塞部が形成された状態を斜め下方から示す斜視図である。図７は蓋付きカップの底部に凹状の底閉塞部が形成さらた状態を斜め下方から示す斜視図である。
図１と図２に示すように、閉塞筒状体としての蓋付きカップ（容器）１０は、クラフト紙、厚紙、樹脂コート加工紙、断熱性加工紙等の板紙や樹脂製シート等よりなる一枚のシート素材よりなり、下端の外接円の半径寸法よりも、上端の外接円の半径寸法が適宜に大きい角錐筒をなす六角筒に形成された筒胴部１１と、その筒胴部１１の下端開口部を開閉可能に塞ぐ底閉塞部２０と、筒胴部１１の上端開口部を開閉可能に塞ぐ蓋閉塞部３０と、を備え構成されている。
【００１６】
図３と図４に示すように、筒胴部１１は、その展開形状に対応して形成された筒胴部構成シート部３が六角筒に折り曲げられその両側部が貼付代１２において貼り付けられることによって形成されている。
また、筒胴部１１の外周面には、同筒胴部１１とは個別に形成される取手１５が貼り付けられている。
【００１７】
底閉塞部２０は、筒胴部１１の下端開口部の外接円の半径寸法に対応する寸法、この実施例１では筒胴部１１の下端開口部の外接円の半径寸法と略同じ寸法をもって筒胴部構成シート部３の下端から下方に延長されかつ底閉塞部２０の展開形状に対応する底閉塞部構成シート部４が折込加工されることによって形成される。
すなわち、底閉塞部２０は、まず、図５に示すように、底閉塞部構成シート部４を、筒胴部１１の下端開口縁（六角形の一辺）を折返し部として中心に向けて折り返しながら、６つの三角形状の襞状折り重ね部２４を６０度の間隔を隔てて周方向に形成する。そして、これら６つ襞状折り重ね部２４を周方向に順次折り重ねて、図６に示すように、凸状底閉塞部２５を形成した後、図７に示すように、凸状底閉塞部２５を筒胴部１１の内部に向けて押し込んで凹状に座屈させることで形成されている。
【００１８】
蓋閉塞部３０は、筒胴部１１の上端開口部の外接円の半径寸法に対応する寸法、この実施例１では筒胴部１１の上端開口部の外接円の半径寸法と略同じ寸法をもって筒胴部構成シート部３の上端から上方に延長されかつ蓋閉塞部３０の展開形状に対応する蓋閉塞部構成シート部５が折込加工されることによって形成される。
すなわち、蓋閉塞部３０は、前記した底閉塞部２０と同様の手順で、まず、蓋閉塞部構成シート部５を、筒胴部１１の上端開口縁（六角形の一辺）を折返し部として中心に向けて折り返しながら、６つの三角形状の襞状折り重ね部３４を６０度の間隔を隔てて周方向に形成する。そして、６つ襞状折り重ね部３４を周方向に順次折り重ねて凸状蓋閉塞部３５を形成した後、その凸状蓋閉塞部３５を筒胴部１１の内部に向けて押し込んで凹状に座屈させることで形成されている。
【００１９】
この実施例に係る蓋付きカップ１０は、ポップコーン、スナック菓子類等の軽量の菓子類を収納して持ち運ぶカップとして使用することが最適である。
この場合、蓋閉塞部３０によって筒胴部１１が閉塞されるため、持ち運び時において、内容物がこぼれ落ちたリ、あるいは塵などが入ることを防止することができる。
また、内容物を取り出す場合には、蓋閉塞部３０の６つの襞状折り重ね部３４のうち、任意の襞状折り重ね部３４ａを引き出すことによって、図３に示すように、容易に開放することができる。
また、開放された蓋閉塞部３０、すなわち蓋閉塞部構成シート部５を前記したように折り込むことで、筒胴部１１の上端に閉塞状態をなす蓋閉塞部３０を容易に構成することができる。
また、筒胴部１１に対し底閉塞部２０及び蓋閉塞部３０をそれぞれ引き出して開放することによって、野球、サッカー等の観戦時にメガホンとして使用することができる。
また、使用後は扁平に折り畳んで処理することができる。
さらに、貼り付け箇所は貼付代１２、１２ａ、１２ｂのみであるから、リサイクルしやすい等の利点がある。
【００２０】
次に、前記した実施例に係る閉塞筒状体としての蓋付き容器１０の製造方法を工程順に説明する。
まず、クラフト紙、厚紙、樹脂コート加工紙、断熱性加工紙等の板紙や樹脂製シート等よりなる一枚のシート素材から、図４に示すように、筒胴部構成シート部３、底閉塞部構成シート部４、蓋閉塞部構成シート部５及び貼付代１２、１２ａ、１２ｂを連続状に有する折込用加工シート２を形成して準備する。
折込用加工シート２の筒胴部構成シート部３は、六角筒の筒胴部１１の展開形状に対応して形成されている。そして、筒胴部構成シート部３には、六角筒の一辺に対応する間隔を隔てて６本の山折り線１３が設けられ、その一側縁には山折り線１３を境として貼付代１２が延出されている。
【００２１】
底閉塞部構成シート部４は、筒胴部１１の下端開口部の外接円の半径寸法に対応する寸法、この実施例では筒胴部１１の下端開口部の外接円の半径寸法と略同じ寸法をもって筒胴部構成シート部３の下端から延長されかつ底閉塞部２０の展開形状に対応して形成されている。そして、底閉塞部構成シート部４には、筒胴部構成シート部３との境界部において、筒胴部１１の中心に向けて折り返すための折返し線２１が設けられている。
また、底閉塞部構成シート部４には、筒胴部１１の下端開口部の周囲に沿って所定間隔を隔て、かつ筒胴部構成シート部３の山折り線１３の延長線上において６本の山折り線２２を平行状に設けるとともに、これら６本複数の山折り線２２の根元部から隣接する山折り線先端の間の略中間部に向けて谷折り線２３を設けられ、その一側縁には山折り線２３を境として貼付代１２ａが延出されている。
【００２２】
蓋閉塞部構成シート部５は、筒胴部１１の上端開口部の外接円の半径寸法に対応する寸法、この実施例では筒胴部１１の上端開口部の外接円の半径寸法と略同じ寸法をもって筒胴部構成シート部３の上端から延長されかつ蓋閉塞部３０の展開形状に対応して形成されている。そして、蓋閉塞部構成シート部５には、筒胴部構成シート部３との境界部において、筒胴部１１の中心に向けて折り返すための折返し線３１が設けられている。
また、蓋閉塞部構成シート部５には、筒胴部１１の上端開口部の周囲に沿って所定間隔を隔て、かつ筒胴部構成シート部３の山折り線１３の延長線上において６本の山折り線３２を平行状に設けるとともに、これら６本複数の山折り線３２の根元部から隣接する山折り線先端の間の略中間部に向けて谷折り線３３を設けられ、その一側縁には山折り線３３を境として貼付代１２ｂが延出されている。
なお、筒胴部構成シート部３の貼付代１２、底閉塞部構成シート部４の貼付代１２ａ及び蓋閉塞部構成シート部５の貼付代１２ｂは各部分の一側に同じ幅をもって連続状に形成されている。
【００２３】
前記したようにして、筒胴部構成シート部３、底閉塞部構成シート部４及び蓋閉塞部構成シート部５が連続状に形成された折込用加工シート２が準備される。
ここで、まず、折込用加工シート２の筒胴部構成シート部３を、その各山折り線１３において折り込みながら六角筒状に屈曲し、その両側部を貼付代１２において接着剤等によって貼り付けて筒胴部１１を形成する。この際、底閉塞部構成シート部４及び蓋閉塞部構成シート部５においても、その各山折り線２２及び３２おいて折り込みながら六角筒状に屈曲し、その両側部を貼付代１２ａ、１２ｂにおいて接着剤等によって貼り付ける。
【００２４】
次に、図５に示すように、底閉塞部構成シート部４において、筒胴部１１の下端開口縁の折返し線２１に沿って中心に向けて折り返しながら、底閉塞部構成シート部４を複数の山折り線２２と複数の谷折り線２３に沿って折り込んで略三角形状の複数の襞状折り重ね部２４を周方向に形成しながら、図６に示すように、複数の襞状折り重ね部２４を周方向に順次折り重ねて凸状底閉塞部２５を形成する。
その後、図７に示すように、凸状底閉塞部２５の中心部を筒胴部１１の内部に向けて押し込んで凹状に座屈させることで底閉塞部２０を形成する。
【００２５】
一方、蓋閉塞部構成シート部５において、筒胴部１１の上端開口縁の折返し線３１に沿って中心に向けて折り返しながら、蓋閉塞部構成シート部５を複数の山折り線３２と谷折り線３３に沿って折り込んで略三角形状の複数の襞状折り重ね部３４を周方向に形成しながら、これら複数の襞状折り重ね部３４を周方向に順次折り重ねて凸状蓋閉塞部３５を形成する。
その後、凸状蓋閉塞部３５の中心部を筒胴部１１の内部に向けて押し込んで凹状に座屈させることで蓋閉塞部３０を形成し、これによって、蓋付きカップ１０が製造される。
【００２６】
したがって、この実施例の閉塞筒状体としての蓋付きカップ１０の製造方法によると、折込用加工シート２によって蓋付きカップ１０を容易に製造することができる。
特に、折込用加工シート２の底閉塞部構成シート部４及び蓋閉塞部構成シート部５に設けられた折返し線２１、３１、山折り線２２、３２及び谷折り線２３、３３に沿って底閉塞部構成シート部４及び蓋閉塞部構成シート部５を折り曲げることで、略三角形状の複数の襞状折り重ね部２４、３４を容易に形成することができるとともに、これら襞状折り重ね部２４、３４を周方向に順次折り重ねて凸状底閉塞部２５及び凸状蓋閉塞部３５を容易に形成することができ、ひいては、底閉塞部２０及び蓋閉塞部３０を備えた蓋付きカップ１０を手早く正確に製造することができる。
【００２７】
なお、この発明は前記実施例に限定するものではない。
例えば、前記実施例においては、筒胴部１１の外周面に、同筒胴部１１とは個別に形成される取手１５が貼り付けられる場合を例示したが、取手１５がないものであってもよい。
また、図８に示すように、蓋付きカップを形成する折込用加工シート２の山折り線１３、２３、３３、折返し線２１、３１及び谷折り線２３、３３の交差部に孔４０、４１を貫設して折込を容易にしてもよい。
この場合、折込用加工シート２が厚紙や、樹脂シートによって形成されてたとしても、その折込用加工シート２を容易に折り込んで蓋付きカップ１０を形成することができる。
また、図９に示すように、蓋付きカップ１０の蓋閉塞部構成シート部５の先端に樹脂製の袋体５０の開口縁５１を貼り付けて、筒胴部１１に収納するように構成することで、ジュース、お茶、コーヒー等の飲料や、その他、液体を収納するカップ、容器として使用することができる。
また、前記実施例においては、筒胴部１１が六角筒形である場合を例示したが、三角筒形、四角筒形、五角筒形、八角筒形・・・であってもこの発明を実施することができる。
また、図１０に示すように、筒胴部１１が円筒であってもこの発明を実施することができ、蓋付きでないカップであってもこの発明を実施することができる。
また、カップ以外の容器や、その他、閉塞筒状体であってもこの発明を実施することができる。
【図面の簡単な説明】
【００２８】
【図１】この発明の実施例に係る閉塞筒状体としての蓋付きカップを斜め上方から示す斜視図である。
【図２】同じく蓋付きカップを斜め下方から示す斜視図である。
【図３】同じく蓋付きカップの蓋閉塞部を上方に開放した状態を斜め上方から示す斜視図である。
【図４】同じく蓋付きカップの展開状態をなす折込用加工シートを示す説明図である。
【図５】同じく蓋付きカップの底閉塞部を下方に開放した状態を斜め下方から示す斜視図である。
【図６】同じく蓋付きカップの底部に凸状底閉塞部が形成された状態を斜め下方から示す斜視図である。
【図７】同じく蓋付きカップの底部に凹状の底閉塞部が形成さらた状態を斜め下方から示す斜視図である。
【図８】蓋付きカップの展開状態をなす折込用加工シートの変更例を示す説明図である。
【図９】蓋付きカップに樹脂製の袋体を装着した変更例を示す破断斜視図である。
【図１０】カップの筒胴部を円筒状に形成した変更例を示す斜視図である。
【符号の説明】
【００２９】
２  折込用加工シート
３  筒胴部構成シート部
４  底閉塞部構成シート部
５  蓋閉塞部構成シート部
１０  蓋付きカップ
１１  筒胴部
１２  貼付代
２０  底閉塞部
２４  襞状折り重ね部
３０  蓋閉塞部
３４  襞状折り重ね部
【図１】
2006151425.tif 000003
【図２】
2006151425.tif 000004
【図３】
2006151425.tif 000005
【図４】
2006151425.tif 000006
【図５】
2006151425.tif 000007
【図６】
2006151425.tif 000008
【図７】
2006151425.tif 000009
【図８】
2006151425.tif 000010
【図９】
2006151425.tif 000011
【図１０】
2006151425.tif 000012